(57)【要約】【課題】従来の技術による表示装置では、空気調和機または周囲環境の状態を表示することにより、使用者が空気調和機の動作環境を知り、使用者の快適性を満たす運転状態になるように空気調和機の操作を行わせる補助的な効果を奏するものにとどまっていた。【解決手段】酸素供給装置と、制御部と、使用者に運転状態を知らせる発光素子を搭載し、酸素供給装置の稼動に連動して表示用発光素子の輝度を一定の速度で増減する動作を行う表示部を搭載した。【選択図】  図２
2004218878.tif 000002
【特許請求の範囲】
【請求項１】
制御部と、室内側に酸素を供給する酸素供給装置と、ＬＥＤ等の発光素子を搭載した空気調和機において、前記酸素供給装置の稼動と共に前記発光素子の輝度が一定の割合で増減する発光動作を行うことを特徴とした空気調和機の表示装置。
【発明の詳細な説明】
【０００１】
【発明の属する技術分野】
本発明は、空気調和機の表示装置に関するものである。
【０００２】
【従来の技術】
従来、空気調和機およびその表示装置は「運転中」「タイマーセット中」など空気調和機の運転状態や種々のセンサによる検出結果を点灯、消灯、点滅、色の変化、絵文字、数値等により表現していた。つまりこれらの表示装置は、空気調和機の運転結果を使用者に知らせることを目的としていた（例えば、特許文献１乃至３参照）。
【０００３】
【特許文献１】
特開平１−０４１７３２号公報
【特許文献２】
特開昭６３−０１４０２４号公報
【特許文献３】
実開昭５８−１７４６３５号公報
【０００４】
【発明が解決しようとする課題】
しかしながら、特許文献１記載の構成は、快適性向上の手段として酸素供給装置のみが記載されており、この付加装置による快適性向上効果が記載されている。また、特許文献２記載の構成は、表示装置による空気調和機の運転状態の表現についての記載であり、特許文献３記載の構成は、室温など室内環境の視覚化によりサービス性向上を目的としたものである。
【０００５】
これらは酸素供給装置あるいは空気調和機の運転状態の表現に係る発明であり、使用者が空気調和機をより効果的に動作させることにおいて、その補助的役割を担うことを目的としたものである。
【０００６】
すなわち前記従来技術における表示装置では、空気調和機の運転状態または周囲環境の状態を表示することにより、使用者が知りたい情報を表示させたり、使用者の要求する動作状態になるように空気調和機の操作（例えば、リモコンの温度設定等）を行わせるよう誘導する効果はあるが、使用者の快適性を能動的に向上する作用効果を奏するものではなかった。
【０００７】
また、前記酸素供給装置が稼動していても、使用者が室内空気の組成変化を実感できなかったり、また所定の環境に達するまで一定の時間を要するため、使用者に酸素供給装置の作用効果を即座に訴え得るものではなかった。
【０００８】
本発明は上記課題を解決するもので、表示部の発光素子の輝度を酸素供給装置の稼動と連動させて増減させることにより、室内空気中の酸素濃度増加による快適性向上を、視覚からも認知させ、より実感度合いを高めるものである。
【０００９】
【課題を解決するための手段】
前記従来の課題を解決するため、本発明の空気調和機の表示装置は、制御部と、室内側に酸素を供給する酸素供給装置と、ＬＥＤ等の発光素子を搭載した空気調和機において、前記酸素供給装置の稼動と共に前記発光素子の輝度が一定の割合で増減する発光動作を行うことを特徴としたもので、この構成をなすことにより、空気調和機の機能が動作し効果を奏していることを、使用者がより実感をもって認識することができるものである。
【００１０】
【発明の実施の形態】
以下に、本発明の実施の形態について、図面を参照しながら説明する。
【００１１】
（実施の形態１）
図１は本発明の第１の実施の形態における空気調和機および表示装置の構成図ならびにその詳細図である。図１（ａ）において、空気調和機は室内機１、室外機２、表示装置３、室外機２に組み込まれ室外側の空気より酸素を選択的に抽出する酸素供給装置４を具備している。酸素供給装置４により抽出された酸素は、パイプ５を通じて噴出部６より室内へ供給される。
【００１２】
また空気調和機は、図１（ｂ）に示すように表示装置３を制御する制御部７を具備する。そして表示装置３は、酸素供給装置４の稼動と連動して、制御部７により一定の速度で輝度を増減する発光素子３ｃおよび空気調和機の運転状態を表示する発光素子３ａ・３ｂを搭載している。
【００１３】
ここで酸素供給装置４の目的は、室外側の空気から選択的に酸素を抽出し、室内へ酸素を供給することにより、人の呼吸等により低下傾向にある室内の酸素濃度を上昇させることにある。これは空気調和機の基本機能である冷房、暖房により室内の温度を使用者に快適な状態、つまり体感温度を調節するのと同様に室内環境を改善させるものである。
【００１４】
次に、第２図は本発明における発光素子３ｃの輝度の変化例の図である。酸素を供給させるという機能は従来の温度、湿度といった皮膚感覚をもって認識できるものによらず、酸素濃度の改善から呼吸による快適性を狙ったものである。そして呼吸という、生物特有で連続性があり且つ「吸込み」と「吐出し」という２つの動作を伴う動作であるから、発光素子の輝度変化を、深呼吸をイメージした比較的ゆっくりとした速度で増減するようにし、最小輝度時は消灯させることなく若干の明るさを維持する輝度増減の動作としている。
【００１５】
そして、前記変化例では制御部７からの制御信号をＤｕｔｙ変化させることにより発光素子３ｃへ供給する平均電流を時間に対してリニアに変化させる。また最大輝度では、１００％、最小輝度では３０％のＤｕｔｙで１周期約７秒程度の繰り返しでＤｕｔｙの最小輝度→最大輝度、最大輝度→最小輝度の変化時間はそれぞれ約０．５秒程度の緩やかな傾きをもつとともに、最小Ｄｕｔｙと最大Ｄｕｔｙにそれぞれ所定の持続時間を持たせた輝度増減の制御とした。
【００１６】
このことにより酸素供給という空気調和機の基本機能に新たに加えられた快適性向上手段を有すると共に、表示装置に設けた発光素子の輝度増減動作により使用者の視覚へ積極的に働きかけ、呼吸のイメージを連想させることにより、酸素供給による室内空気組成の改善および快適性の向上を、より実感できる。
【００１７】
なお、本発明では酸素供給機能の動作に連動させて表示部輝度増減を行うことで、使用者に呼吸をイメージさせ、酸素富化との相乗効果を図ったものであるが、発光素子あるいは発光体および表示装置の形態、輝度や色の変化により種々の機能の効果を相乗的に向上させていくことができることは本発明の応用として十分考えられる。
【００１８】
【発明の効果】
以上のように本発明によれば、表示用発光素子の輝度を一定の速度で増減する動作を行うＬＥＤ等の発光素子を搭載し、呼吸という生理的なイメージを能動的且つ積極的に使用者の視覚へ働きかける表示装置を酸素供給装置と併用することにより、酸素富化効果との相乗効果で、使用者に対し快適性の向上をより実感させることができる。
【図面の簡単な説明】
【図１】（ａ）本発明の構成図
（ｂ）同表示部の詳細図
【図２】本発明の発光素子明滅パターンを示す図
【符号の説明】
１  室内機本体
２  室外機
３  表示装置
３ａ、３ｂ  状態表示用発光素子
３ｃ  輝度増減用発光素子
４  酸素供給装置
５  パイプ
６  噴出部
７  制御部
【図１】
2004218878.tif 000003
【図２】
2004218878.tif 000004